(57)【特許請求の範囲】
【請求項１】
外面バンドと内面バンドとを備えるバンド部と、
前記バンド部と連結され、前記バンド部の上で回転可能なバイザー部と、
前記バンド部と前記バイザー部とを連結し、円形連結装置と掛け金連結装置とを備えるキャップサイド連結装置と、を含み、
前記円形連結装置は前記バイザー部と結合されて固定され、前記掛け金連結装置はバンド部と結合されて固定されるものであって、
前記掛け金連結装置は固定突起を含み、前記円形連結装置は歯形固定部を含み、
前記円形連結装置の歯形固定部は、前記掛け金連結装置の固定突起と組み立てられて、回転時に前記固定突起の上で前記歯形固定部が回動され、停止時に前記固定突起が前記歯形固定部の歯と歯との間で固定され、
前記内面バンドの両側後方の中央に四角ホールが、前記四角ホールの上下辺に固定段部がそれぞれ形成されており、前記四角ホールの固定段部に前記掛け金連結装置の第１掛け金が挿入されて固定され、
前記掛け金連結装置が前記円形連結装置と組み合わされた状態で、前記バイザー部は前記円形連結装置と固定板とで挟まれ、前記固定板が前記掛け金連結装置の第２掛け金によって固定されていることにより、前記キャップサイド連結装置に前記バイザー部が取り付けられており、組立性が向上することを特徴とするヘアーバンド兼用紫外線防止日除け。
【請求項２】
前記外面バンドはヘアーバンドであって、中空の円筒形に織造された収縮性があるチューブ形態の弾性バンドであることを特徴とする、請求項１に記載のヘアーバンド兼用紫外線防止日除け。
【請求項３】
前記内面バンドはプラスチック敷きであることを特徴とする、請求項１に記載のヘアーバンド兼用紫外線防止日除け。
【請求項４】
前記バイザー部は固定溝部を含み、前記円形連結装置は固定突出部を含むことを特徴とする、請求項１に記載のヘアーバンド兼用紫外線防止日除け。
【請求項５】
前記バイザー部の固定溝部は前記円形連結装置の固定突出部に結合されて固定され、前記バイザー部の回転時、前記バイザー部と前記円形連結装置とが一体となって動作することを特徴とする、請求項４に記載のヘアーバンド兼用紫外線防止日除け。
【請求項６】
前記掛け金連結装置が前記円形連結装置と組み立てられ、その上に固定板が固定され、前記掛け金連結装置の上に連結装置カバーが組み立てられることを特徴とする、請求項１に記載のヘアーバンド兼用紫外線防止日除け。
【請求項７】
前記外面バンドは額が触れる内面に固定金具、プラスチックなどの露出や孔のないヘアーバンドであることを特徴とする、請求項２に記載のヘアーバンド兼用紫外線防止日除け。
【請求項８】
前記バイザー部はポリカーボネート材質からなることを特徴とする、請求項１に記載のヘアーバンド兼用紫外線防止日除け。
【請求項９】
前記バイザー部は張力を維持し、額の屈曲に合う曲線を維持するために∩曲線形態を有することを特徴とする、請求項１に記載のヘアーバンド兼用紫外線防止日除け。
【請求項１０】
前記キャップサイド連結装置の材質はＰＯＭまたはアセタールであることを特徴とする、請求項１に記載のヘアーバンド兼用紫外線防止日除け。
【発明の詳細な説明】
【技術分野】
【０００１】
本発明はヘアーバンド兼用紫外線防止日除けに関し、より詳しくはバンド部にバイザー（ＶＩＳＯＲ）を連結し、これらの間の角度を調整するキャップサイド連結装置に関する。
【背景技術】
【０００２】
従来の技術にはヘアーバンドに紫外線防止日除け（バイザー部）が付着されたものはないが、外見上に類似なものとして、バンド部とつば部（バイザー部）が固定される形態と、バンド部と連結されているつば部が角度調整が可能な形態がある。前者は例には、‘グラデーションつばが備えられたサンキャップ’（特許登録第１０−１１８１７２０号）を挙げることができ、その要旨は‘着用者の額から外側に行くほど薄い色にグラデーションされるようにコーティングされたつばと、上記つばに一体形成されて着用者の額に固定される頭支持台と、上記頭支持台の両端にヒンジ固定されて折畳されるように連結される固定脚と、上記頭支持台と固定脚とを連結するためのヒンジ手段からなることによって、つばの材質がめがねの材質と同一であるので堅くて、着用者の額から外側に行くほど薄い色にグラデーションされるようにコーティングされて視野を確保しながらも紫外線を効果的に遮断し、つばの材質がめがねと同一な材質からなっているので堅固性を向上させることができる効果がある。’とするが、この発明はバンド部とつば部が固定されているものであって、日光が強い場合につば部の角度を調整することができないので、目を保護することができないという問題がある。
【０００３】
また、後者の例としては、‘サンキャップ’（実用新案登録第２０−０４２６４２４）を挙げることができ、その要旨は‘サンキャップのつばが使用者の顔を遮った時、視野部分と対応する部分にはポリカーボネートフィルムの透明つば部が配置されるようにし、残りの部分には透明つば部より厚さの浅い不透明つば部が少なくとも一切れ以上配置されるようにして、上記透明つば部と不透明つば部とを返し縫いにより互いに連結して１つのつばを形成するようにしたことを特徴とする。’とするが、この発明はヒンジ軸を中心に透明つば部の角度調整が可能であるが、透明つば部を固定させることができないので、時間が経るにつれて透明つば部がずり落ちる問題がある。
【先行技術文献】
【特許文献】
【０００４】
【特許文献１】韓国登録特許公報第１０−１１８１７２０号
【特許文献２】韓国登録実用新案公報第２０−０４２６４２４号
【発明の概要】
【発明が解決しようとする課題】
【０００５】
本発明は、バンドに日光を遮る紫外線防止日除けを付着し、また、従来の諸問題を解消するために案出したものであって、バンド部と連結されるバイザー部（つば部）の調整が可能であり、調整される角度で正確に固定できるようにバイザー部とバンド部を調整及び固定するキャップサイド連結装置を創案したものである。キャップサイド連結装置は、円形連結装置と掛け金連結装置とを含む構成となっている。
【課題を解決するための手段】
【０００６】
上記の問題を解決するための本発明のヘアーバンド兼用紫外線防止日除けは、外面バンドと内面バンドとを備えるバンド部、上記バンド部と連結され、上記バンド部の上で回転可能なバイザー部、及び上記バンド部と上記バイザー部とを連結するキャップサイド連結装置を含み、上記キャップサイド連結装置は円形連結装置と掛け金連結装置とを備え、上記円形連結装置はバイザー部と結合されて固定され、上記掛け金連結装置はバンド部と結合されて固定され、上記円形連結装置（バイザー部）は上記掛け金連結装置（バンド部）の上で回動または固定されることを特徴とする。
【０００７】
上記外面バンドはヘアーバンドであって、中空の円筒形に織造された収縮性があるチューブ形態の弾性バンド（ＴＵＢＵＬＡＲ ＴＹＰＥ ＥＬＡＳＴＩＣ ＢＡＮＤ）である。また、上記内面バンドはプラスチック敷きである。また、上記円形連結装置が上記掛け金連結装置の上で回動または固定されることによって、上記バイザー部が上記バンド部の上で回動または固定される。また、上記バイザー部は固定溝部を含み、上記円形連結装置は固定突出部を含むものである。また、上記バイザー部の固定溝部は上記円形連結装置の固定突出部に結合されて固定され、上記バイザー部の回転時、バイザー部と円形連結装置とが一体になって動作される。また、上記掛け金連結装置は固定突起を含み、上記円形連結装置は歯形固定部を含むものである。また、上記円形連結装置の歯形固定部は上記掛け金連結装置の固定突起と組み立てられて、回転時に上記固定突起の上で歯形固定部が回動され、停止時に上記固定突起が歯形固定部の歯と歯との間で固定されるものである。また、上記掛け金連結装置が上記円形連結装置と組み立てられ、その上に固定板が組み立てられて、上記固定板が上記掛け金連結装置の掛け金２により固定されるものである。
【０００８】
また、上記掛け金連結装置が上記円形連結装置と組み立てられ、その上に固定板が固定され、上記掛け金連結装置の上に連結装置カバーが組み立てられるものである。また、上記プラスチック敷きの両側後方の中央に四角ホール及び上記四角ホールの上下辺に固定段部が形成されている。また、上記プラスチック敷きの四角ホールに上記掛け金連結装置の掛け金１を挿入時、上記四角ホールの固定段部に掛け金１が挿入されて固定され、上記内面バンド（プラスチック敷き）が掛け金連結装置と一体となるものである。また、上記外面バンドは額が触れる内面に固定金具、プラスチックなどの露出や孔のないヘアーバンドである。また、上記バイザー部はポリカーボネート（ＰＯＬＹ−ＣＡＲＢＯＮＡＴＥ）材質からなるものである。また、上記バイザー部は、張力を維持し、額の屈曲に合う曲線を維持するために、∩曲線形態を有する。上記キャップサイド連結装置の材質は、ＰＯＭまたはアセタールである。
【０００９】
本発明のヘアーバンド兼用紫外線防止日除けの製造方法は、外面バンドと内面バンドとを備えるバンド部、上記バンド部と連結され、上記バンド部の上で回転可能なバイザー部、及び上記バンド部と上記バイザー部とを連結し、円形連結装置と掛け金連結装置とを備えるキャップサイド連結装置を含み、上記円形連結装置はバイザー部と結合されて固定され、上記掛け金連結装置はバンド部と結合されて固定されるものであって、上記円形連結装置は上記掛け金連結装置の上で回動または固定されることによって、上記バイザー部が上記バンド部の上で回動または固定され、上記外面バンドはチューブ形態バンド（ＴＵＢＵＬＡＲ ＴＹＰＥ ＢＡＮＤ）であり、上記内面バンドはプラスチック敷きであるヘアーバンド兼用紫外線防止日除けの製造方法であって、上記バンド部を製造するバンド部製造工程、上記バイザー部を製造するバイザー部製造工程、上記キャップサイド連結装置を製造するキャップサイド連結装置製造工程、及びこれら部品を組み立てる組立工程を含み、上記バンド部製造工程は、チューブ形態バンドは中空の円筒形の織造を定めた長さに切断する切断ステップ、チューブ形態バンドの内側に鉄板を押し込み、バンドの一面にレーザービームを射って穿孔する穿孔ステップ、プラスチック敷きをチューブ形態バンドの内側の定まった位置にくるようにチューブ形態バンドに挿入する挿入ステップを含むものである。
【００１０】
上記プラスチック敷きはＰＣ／ＡＢＳ＋ガラス５（ＰＣ／ＡＢＳ＋ＧＬＡＳＳ５）の材質であって、バンドが額に密着するように成人平均額の曲率を有し、バイザーの多様なサイズに使用するために、両側後端部に１つまたは２つの孔を有するものである。
【００１１】
また、上記バイザー部製造工程は、平板のポリカーボネート（ＰＯＬＹ−ＣＡＲＢＯＮＡＴＥ）板をプレスを用いてバイザー形状に製造するプレス作業ステップ、上記プラスチック敷きの曲率と同一な曲率の型に固定して加熱チャンバーに入れて一定時間加熱する曲率形成ステップ、及びバイザー表面の強度を高め、ミラーコーティングのための前段階としてミラーコーティングを容易にするためのハードコーティングを施すハードコーティングステップを含む。
【００１２】
また、上記キャップサイド連結装置製造工程は、上記キャップサイド連結装置の固定板、円形連結装置、掛け金連結装置、及び連結装置カバーにおいて、固定板、円形連結装置、掛け金連結装置はＰＯＭまたはアセタールの材質で、連結装置カバーはアルミニウムシート（Ａｌｕｍｉｎｕｍ ｓｈｅｅｔ）の材質で製造するものである。
【００１３】
また、上記組立工程は、上記バイザー部の両端部にある孔と上記バンド部の孔とを一致させた後、組み立てられたキャップサイド連結装置の掛け金１をバンド部に押込んで組み立てる組立ステップ、及び上記バンド部の両端部を縫製により連結し、その上をクリップ（ｃｌｉｐ）により仕上げる仕上げステップを含む。
【発明の効果】
【００１４】
以上、説明したように、本発明のヘアーバンド兼用紫外線防止日除けは、外面バンドと内面バンドとを備えるバンド部、上記バンド部と連結され、上記バンド部の上で回転可能なバイザー部、及び上記バンド部と上記バイザー部とを連結し、円形連結装置と掛け金連結装置とを備えるキャップサイド連結装置を含み、上記円形連結装置はバイザー部と結合固定されて回動または固定され、上記掛け金連結装置はバンド部と結合固定されて回動または固定される構成からなっている。
【００１５】
本発明のキャップサイド連結装置により、バンド部と連結されるバイザー部（つば部）の調整が可能であり、調整される角度で正確に回動し、固定される効果がある。
【図面の簡単な説明】
【００１６】
【図１】本発明の斜視図である。
【図２】本発明の平面図である。
【図３】本発明の分解図である。
【図４】本発明の内面バンド（プラスチック敷き）の図である。
【図５】本発明のバイザー部の図である。
【図６】本発明のキャップサイド連結装置の図である。
【図７】本発明の掛け金連結装置の図である。
【図８】本発明の円形連結装置の図である。
【図９】本発明の内面バンド（プラスチック敷き）にキャップサイド連結装置が組み立てられた図である。
【図１０】本発明のクリップの図である。
【図１１】外面バンドの製作工程図である。
【発明を実施するための形態】
【００１７】
本発明はヘアーバンド兼用紫外線防止日除けであって、本発明は、外面バンド１６と内面バンド１２とを備えるバンド部２０、上記バンド部２０と連結され、上記バンド部２０の上で回転可能なバイザー部４０、及び上記バンド部２０と上記バイザー部４０とを連結するキャップサイド連結装置６０を含み、上記キャップサイド連結装置６０は円形連結装置３６と掛け金連結装置３２とを備え、上記円形連結装置３６はバイザー部４０と結合固定され、上記掛け金連結装置３２はバンド部２０と結合固定され、上記円形連結装置（バイザー部）は上記掛け金連結装置（バンド部）の上で回動または固定されることを特徴とする。
【００１８】
以下、本発明のヘアーバンド兼用紫外線防止日除けの実施形態を添付した図面を参照して詳細に説明する。
【００１９】
図１は、本発明の斜視図である。本発明１００の斜視図のように、本発明は頭に固定されるバンド部２０、日光（紫外線）を遮断するバイザー部（ＶＩＳＯＲ）４０、及びバンド部２０とバイザー部４０とを連結し、調整するキャップサイド連結装置６０から構成されている。バンド部２０は外面バンド１６と内面バンド１２とから構成される。外面バンド１６はヘアーバンドであって、中空の円筒形に織造された収縮性があるチューブ形態の弾性バンド（ＴＵＢＵＬＡＲ ＴＹＰＥ ＥＬＡＳＴＩＣ ＢＡＮＤ）である。内面バンドはプラスチック敷き１２である。外面バンドは額が触れる内面に固定金具、プラスチックなどの露出や孔のないヘアーバンドである。外面バンド１６は外見上にはバンド部２０と同一に見える。バイザー部４０の色は、透明またはいろいろ色のうち、１つを選択することができるので、多様な色を具現することができる。バイザー部４０の幅と広さのサイズを多様に変えることができる。
【００２０】
図２は、本発明の平面図である。本発明の平面図のように、バンド部２０とバイザー部４０とを連結し、調整するキャップサイド連結装置６０は、頭の側面の両側に設置されており、頭の後面部は縫製により完全に封入されてオープンされていない楕円形となっている。
【００２１】
図３は、本発明の分解図である。本発明の分解図のように、本発明はバンド部２０、バイザー部４０、キャップサイド連結装置６０に分けられる。バンド部２０はヘアーバンドとして両側の外面キャップサイド連結装置６０を固定するバンド部ホール２２、２２’が形成されており、バイザー部４０がキャップサイド連結装置６０に組み立てられて、このバンド部ホール２２、２２’に結合されて回動または固定される。
【００２２】
図４ａは本発明の内面バンド（プラスチック敷き）の図であり、図４ｂは外面バンド１６に内面バンド１２が挿入される図である。内面バンドの四角ホール１３、１３’は掛け金連結装置の掛け金１３４、３４’が挿入されるものである。バイザーの種類（つばが長さの長いもの、あるいは短いもの）によって２つの四角ホール１３、１３’のうち、１つを選択して使用する。プラスチック敷き１２は、内面バンドである。プラスチック敷きはＰＣ／ＡＢＳ＋ガラス５（ＰＣ／ＡＢＳ＋ＧＬＡＳＳ５）の材質であって、図４ａのように、バンドが額に密着するように成人平均額の曲率を有し、バイザーの多様なサイズに使用するために両側後端部に１つまたは２つの孔を形成している。
【００２３】
図５は、本発明のバイザー部の図である。バイザー部４０は固定溝４４と共に固定ホール４２が形成されており、バイザー部４０の固定溝４４は円形連結装置３６の固定突出部３８に結合されて固定されて、上記バイザー部４０の回転時、バイザー部４０と円形連結装置３６とが一体となって動作するようになる。固定突出部３８の突出した高さはバイザー部４０の厚さと同一である。したがって、バイザー部４０が組み立てられた時、バイザー（つば）の厚さが突出しない。
【００２４】
バイザー部４０の固定溝４４が円形連結装置３６の固定突出部３８と結合されて固定された後、バイザー４０がキャップサイド連結装置３０の固定板３９によりキャップサイド連結装置３０の内に固定される。バイザー部はポリカーボネート（ＰＯＬＹ−ＣＡＲＢＯＮＡＴＥ）材質からなっており、張力を維持し、額の屈曲に合う曲線を維持するために∩曲線形態を維持している。
【００２５】
図６はキャップサイド連結装置であり、図７及び図８はその部品として相互連結される構成であるので、共に説明することにする。図６は、キャップサイド連結装置６０の図である。図６の（ａ）は組立図であり、図６の（ｂ）は分解図である。キャップサイド連結装置６０の材質はＰＯＭまたはアセタールである。図７は、本発明の掛け金連結装置３２の図である。図７の（ａ）は平面図であり、図７の（ｂ）は正面図である。図８は、本発明の円形連結装置３６の図である。図８の（ａ）は平面図であり、図８の（ｂ）は背面図である。
【００２６】
掛け金連結装置３２は円形連結装置３６に組み立てられ、バイザー部４０の固定溝４４が円形連結装置３６の固定突出部３８に組み立てられて固定された後、固定板３９によりバイザー部４０が付着された円形連結装置３６と掛け金連結装置３２とが結合されて固定される。固定板３９は掛け金連結装置３２の掛け金２ ３５、３５’により固定される。
【００２７】
図９は、本発明の内面バンドであるプラスチック敷き１２にキャップサイド連結装置６０が組み立てられた図である。図９の（ａ）はプラスチック敷きにキャップサイド連結装置が組み立てられた図であり、（ｂ）はプラスチック敷きの四角ホール１３、１３’の拡大図である。
【００２８】
図９のように、プラスチック敷き１２の両側後方の中央に四角ホール１３、１３’及び上記四角ホールの上下辺に固定段部１４、１４’が形成されている。プラスチック敷き１２の四角ホール１３に上記掛け金連結装置３２の掛け金１ ３４、３４’の挿入時、上記四角ホール１３、１３’の固定段部１４、１４’に掛け金１ ３４、３４’が固定されて、上記内面バンド（プラスチック敷き）が掛け金連結装置３２と一体となる。上記内面バンド１２はバンド部２０の内に内蔵されるものであるので、これで、掛け金連結装置３２はバンド部２０と一体となる。
【００２９】
したがって、円形連結装置３６はバイザー部４０と一体となり、また掛け金連結装置３２はバンド部２０と一体となる。円形連結装置３６は掛け金連結装置３２の上で回動または固定される。円形連結装置３６の歯形固定部３７は掛け金連結装置３２の固定突起３３、３３’、３３’’、３３’’’の上で回転または固定される。円形連結装置３６が掛け金連結装置３２の上で回動時、歯形固定部３７の歯は掛け金連結装置３２の固定突起３３、３３’、３３’’、３３’’’の上で滑りながら回転し、円形連結装置３６が掛け金連結装置３２の上で停止時、掛け金連結装置３２の固定突起３３、３３’、３３’’、３３’’’は歯形固定部３７の歯の間に固定されて停止するものである。バイザー部４０は円形連結装置３６と一体となっており、バンド部２０は掛け金連結装置３２と一体となっているので、バイザー部４０の円形連結装置３６はバンド部２０の掛け金連結装置３２の上で回動または固定される。即ち、バイザー部４０が回動または停止することは、バンド部２０のキャップサイド連結装置６０の機能により可能である。円形連結装置３６が上記掛け金連結装置３２の上で回動または固定されることによって、上記バイザー部４０が上記バンド部２０の上で回動または固定される。
【００３０】
掛け金連結装置３２の上に連結装置カバー５０が組み立てられる。連結装置カバー５０は美観のためにアルミニウム製を使用する。
【００３１】
本発明のヘアーバンド兼用紫外線防止日除けの製造方法は、外面バンド１６と内面バンド１２とを備えるバンド部２０、上記バンド部２０と連結され、上記バンド部２０の上で回転可能なバイザー部４０、及び上記バンド部２０と上記バイザー部４０とを連結し、円形連結装置３６と掛け金連結装置３２とを備えるキャップサイド連結装置６０を含み、上記円形連結装置３６はバイザー部４０と結合されて固定され、上記掛け金連結装置３２はバンド部２０と結合されて固定されるものであって、上記円形連結装置３６は上記掛け金連結装置３２の上で回動または固定されることによって、上記バイザー部４０が上記バンド部２０の上で回動または固定され、上記外面バンドはチューブ形態バンド（ＴＵＢＵＬＡＲ ＴＹＰＥ ＢＡＮＤ）であり、上記内面バンドはプラスチック敷きであるヘアーバンド兼用紫外線防止日除けの製造方法であって、上記バンド部を製造するバンド部製造工程、上記バイザー部を製造するバイザー部製造工程、上記キャップサイド連結装置を製造するキャップサイド連結装置製造工程、及びこれら部品を組み立てる組立工程を含み、上記バンド部製造工程は、チューブ形態バンドは中空の円筒形の織造を定めた長さに切断する切断ステップ、チューブ形態バンドの内側に鉄板を押し込み、バンドの一面にレーザービームを射って穿孔する穿孔ステップ、プラスチック敷きをチューブ形態バンドの内側の定まった位置にくるようにチューブ形態バンドに挿入する挿入ステップを含むことを特徴とする。
【００３２】
図１１は、外面バンドの製作工程図である。図１１ａは外面バンド（織造）１６の製造工程であって、中空の円筒形の織造からなるチューブ形態バンドを定めた長さに切断するステップを示している。図１１ｂはチューブ形態バンドの内側に鉄板１５を押し込み、バンドの一面にレーザービームを射って穿孔するステップを示している。外面バンドの外面のみ穿孔するものであり、内面は穿孔しないものである。内面は頭が直接触れるため、柔らかくするために穿孔しないものである。このため、鉄板を使用して一面のみを穿孔するものである。
【００３３】
次に、図４ｂのように、プラスチック敷き１２をチューブ形態バンドの内側の定まった位置にくるようにチューブ形態バンドに挿入するステップを示している。この場合、外面バンド１６のバンド部ホール１５ａと内面バンド１２の四角ホール１３とを一致させなければならない。
【００３４】
上記プラスチック敷き１２はＰＣ／ＡＢＳ＋ガラス５（ＰＣ／ＡＢＳ＋ＧＬＡＳＳ５）の材質であって、バンドが額に密着するように成人平均額の曲率を有し、バイザーの多様なサイズに使用するために両側後端部に１つまたは２つの孔を有することができる。
【００３５】
上記バイザー部４０製造工程は、平板のポリカーボネート（ＰＯＬＹ−ＣＡＲＢＯＮＡＴＥ）板をプレスを用いてバイザー形状に製造するプレス作業ステップ、上記プラスチック敷きの曲率と同一な曲率の型に固定して加熱チャンバーに入れて一定時間加熱する曲率形成ステップ、及びバイザー表面の強度を高めて、ミラーコーティングの前段階としてミラーコーティングを容易にするためにハードコーティングを施すハードコーティングステップを含むことができる。
【００３６】
上記キャップサイド連結装置６０の製造工程は、上記キャップサイド連結装置の固定板３９、円形連結装置３６、掛け金連結装置３２、及び連結装置カバー５０において、固定板、円形連結装置、掛け金連結装置はＰＯＭまたはアセタールの材質であって、連結装置カバーはアルミニウムシート（Ａｌｕｍｉｎｕｍ ｓｈｅｅｔ）の材質で製造することができる。
【００３７】
図１０は、本発明のクリップの図である。図１０の（ａ）はクリップを示すものであり、図１０の（ｂ）はバンド部２０にクリップ８０が組み立てられたものを示している。
【００３８】
上記の組立工程は、上記バイザー部の両側端部をキャップサイド連結装置に組み立てた後、組み立てられたキャップサイド連結装置の掛け金１３４をバンド部のバンド部ホールに押し込んで組み立てる組立ステップ、及び上記バンド部の両端部を縫製により連結し、その上をクリップ（ｃｌｉｐ）により仕上げる仕上げステップを含むことができる。
【００３９】
本発明は、バンドに日光を遮る紫外線防止日除けを付着し、また、従来の諸問題を解消するために案出したものであって、バイザー部とバンド部を調整及び固定するキャップサイド連結装置を可能にするように、新たなバンド部、バイザー部、及びキャップサイド連結装置を創案することによって、バンド部と連結されるバイザー部（つば部）の調整が可能であり、調整される角度で正確に回動し、固定される効果がある。
【００４０】
以上のように、本発明は、たとえ限定された実施形態と図面により説明したが、本明細書及び請求範囲に使われた用語や単語は通常的または辞典的な意味に限定して解釈されてはならず、本発明の技術的思想に符合する意味と概念として解釈されなければならない。したがって、本明細書に記載された実施形態と図面に図示された構成は本発明の実施形態に過ぎないものであり、本発明の技術的思想を全て代弁するものではないので、本発明の請求範囲から逸脱しない限度内で多様な均等物と変形例は本発明の権利範囲の内にあることを理解するべきである。
【符号の説明】
【００４１】
１２ 内面バンド（プラスチック敷き）
１３、１３’ 四角ホール１、２
１４、１４’ 固定段部
１５ 鉄板
１６ 外面バンド
２０ バンド部
２２、２２’ バンド部ホール
３２ 掛け金連結装置
３３、３３’、３３’’、３３’’’ 固定突起
３４、３４’ 掛け金１
３５、３５’ 掛け金２
３６ 円形連結装置
３７ 歯形固定部
３８ 固定突出部
３９ 固定板
４０ バイザー部
４２ 固定ホール
４４ 固定溝
５０ 連結装置カバー
６０ キャップサイド連結装置
８０ クリップ
１００ ヘアーバンド兼用紫外線防止日除け
【図１】
0005975224.tif 000002
【図２】
0005975224.tif 000003
【図３】
0005975224.tif 000004
【図４】
0005975224.tif 000005
【図５】
0005975224.tif 000006
【図６】
0005975224.tif 000007
【図７】
0005975224.tif 000008
【図８】
0005975224.tif 000009
【図９】
0005975224.tif 000010
【図１０】
0005975224.tif 000011
【図１１】
0005975224.tif 000012